(57)【要約】【課題】ばね投入形回路遮断器において，ＯＮ操作，ＯＦＦ操作，及びＯＮ・ＯＦＦ両操作を防止するとともに，回路遮断器の寿命が投入ばねの空打ちによって寿命が短くならないロック装置を提供する。【解決手段】回路遮断器の表面パネル１０に左右に並べて設けられたＯＮ操作ボタン３とＯＦＦ操作ボタン４をカバーするそれぞれＯＮ操作防止カバー２１及びＯＦＦ操作防止カバー２２を引違戸のような構造で互いにスライド自在に２本の第１レール１９及び第２レール２０の上に設け，第１レール１９及び第２レール２０の左右方向の中間部に第１レール１９と第２レール２０にまたがるように南京錠８を装着する中央孔２７を設け，ＯＮ操作防止カバー２１及ＯＦＦ操作防止カバー２２をそれぞれ左端方向及び右端方向に移動させて中央孔２７に南京錠８を装着する。【選択図】　図１
2004055412.tif 000002
【特許請求の範囲】
【請求項１】
開閉接触子を接触させるＯＮボタンと該開閉接触子を開離させるＯＦＦボタンとが左右に並んで配置されている回路遮断器において，
前記両ボタンのいずれか一方の前方に選択的に互いに独立して移動可能な二つのカバーと，
前記二つのカバーのそれぞれを案内する互いに平行で近接させて設けられた二つのレールを有する案内部材と，
前記両カバーの移動方向の前記レールの中間部に設けられた前記両カバーの移動を阻止する南京錠装着用の孔とを備えたことを特徴とする回路遮断器の操作ボタンロック装置。
【請求項２】
左側の前記カバーの左縁及び右側の前記カバーの右縁にそれぞれブロック手段を設けるとともに，南京錠が装着されたとき前記ブロック手段と係合して前記カバーの移動を阻止する南京錠装着用の孔をさらに前記案内部材に左右二つ設け，
前記左側の孔に南京錠が装着されたときは前記左側のカバーのブロック手段と係合して右方向への移動を阻止し，前記右側の孔に南京錠が装着されたときは前記右側のカバーのブロック手段と係合して左方向への移動を阻止することを特徴とする請求項１の回路遮断器の操作ボタンロック装置。
【発明の詳細な説明】
【０００１】
【発明の属する技術分野】
本発明は，開閉接触子を接触させるＯＮボタンと開離させるＯＦＦボタンとが左右に並んで配置されている回路遮断器の操作ボタンのロック装置に関する。
【０００２】
【従来の技術】
回路遮断器には，大きな力を蓄勢した投入ばねを有し，この大きな力を放勢して開閉機構を動作させることによって開閉接触子を接触させるばね投入操作方式のものがある。この回路遮断器は，投入ばねを蓄勢状態で保持する投入ばねラッチ機構を備えるとともに，開閉接触子が接触した接触状態を維持するトリップラッチ機構を備えている。そして，投入ばねラッチ機構の係合を解除させるＯＮ操作をするＯＮボタンと，トリップラッチ機構の係合を解除させるＯＦＦ操作をするＯＦＦボタンとを，操作の容易性やデザインの点から左右にならべて配置することが多い。
【０００３】
一方，回路遮断器は，電気回路の重要性から考えてむやみにＯＮ操作やＯＦＦ操作を行えないようにする必要のある場合がある。例えば，回路遮断器をＯＦＦにしてその負荷側回路を点検するときは，感電事故を避けるため回路遮断器がＯＮ操作されないようにＯＦＦロックしておく必要がある。また，その電気回路に重要負荷装置が接続されているときはＯＦＦにされないようＯＮロックしておく必要がある。
【０００４】
このようにボタンの操作をロックする方法として，各ボタンの前にカバーを設けてこのカバーを開けられないように南京錠でロックすることが行われている。このようなロック装置の従来の技術が図９及び図１０に示されている。図９において，回路遮断器本体１の表面パネル２の内側には，ともに図示されていない投入ばねラッチ機構及びトリップラッチ機構に連結されているそれぞれＯＮボタン３及びＯＦＦボタン４が，同軸上に回転自在に設けられている。また，表面パネル２にはこれらのボタンを操作するため，ＯＮボタン３及びＯＦＦボタン４の前に孔２ａ及び孔２ｂが形成されている。さらに，孔２ａ及び孔２ｂの前面にはそれぞれＯＮ操作防止カバー５及びＯＦＦ操作防止カバー６が回転自在に設けられ，ＯＮ操作防止カバー５とＯＦＦ操作防止カバー６との間には南京錠装着突起７が表面パネル２と一体形成されている。
【０００５】
この回路遮断器のＯＮ操作及びＯＦＦ操作をする場合は，それぞれＯＮ操作防止カバー５及びＯＦＦ操作防止カバー６を上方に回転させて表面からＯＮボタン３及びＯＦＦボタン４を押し込んで，それぞれ投入ラッチ装置及びトリップラッチ装置の係合を解除させることによって行われる。また，ＯＮ操作及びＯＦＦ操作を防止するときは，南京錠装着片７に形成された孔７ａに南京錠８を装着することによってＯＮ操作防止カバー５及びＯＦＦ操作防止カバー６を回転できないようにする。
【０００６】
【発明が解決しようとする課題】
上述の従来の技術にあっては，南京錠でロックしたときはＯＮ操作とＯＦＦ操作の両操作を防止できる。しかし，ロックしないときはいずれの操作も防止できない上，両方のボタンを同時に操作することもできる。
【０００７】
ばね投入操作方式の回路遮断器の場合，ＯＦＦボタンが押された状態でＯＮボタンを押すと次のような問題がある。すなわち，この回路遮断器は，トリップラッチ装置の係合が解除された状態で投入ばねが放勢されると，放勢力が開閉接触子を接触させるために作用しないため空打ち状態となり，放勢力が開閉機構の各所に大きな機械的ショックを加え，大きな音を発したり場合によっては寿命が短くなる。
【０００８】
したがって，本発明の目的は，ＯＮ操作及びＯＦＦ操作のいずれか又はこれら両操作を同時に実行できないようにするとともに，南京錠を使用しない場合でも回路遮断器本体の寿命が短くならないロック装置を提供することにある。
【０００９】
【課題を解決するための手段】
上記の問題を解決するために，請求項１の発明は，開閉接触子を接触させるＯＮボタンと該開閉接触子を開離させるＯＦＦボタンとが左右に並んで配置されている回路遮断器において，両ボタンのいずれか一方の前方に選択的に互いに独立して移動可能な二つのカバーと，二つのカバーのそれぞれを案内する互いに平行で近接させて設けられた二つのレールを有する案内部材と，両カバーの移動方向のレールの中間部に設けられた両カバーの移動を阻止する南京錠装着用の孔とを備えたことこととしている。
【００１０】
このような構成により，一方のカバーをＯＮボタンの前に移動させ他方のボタンをＯＦＦボタンの前に移動させて南京錠を装着することにより，左側のカバーの右縁及び右側のカバーの左縁が南京錠と係合して両カバーの移動が阻止される。また，双方のカバーを左側のボタンの前に移動させて南京錠を装着すると両カバーの右縁と係合して両カバーの移動が阻止され，双方のカバーを右側のボタンの前に移動させて南京錠を装着すると両カバーの左縁と係合して両カバーの移動が阻止される。すなわち，カバーを選択的に移動させて南京錠を装着することによって，１個の南京錠でＯＮ操作，ＯＦＦ操作，及びその両操作を防止できる。また，南京錠が装着されない場合であっても，少なくともＯＮボタン及びＯＦＦボタンのいずれか一方の前面にカバーが位置するため二つのボタンを同時に操作することはできない。
【００１１】
請求項２の発明の回路遮断器の操作ボタンロック装置は，請求項１の操作ボタンロック装置において，左側のカバーの左縁及び右側のカバーの右縁にそれぞれブロック手段を設けるとともに，南京錠が装着されたときブロック手段と係合してカバーの移動を阻止する南京錠装着用の孔をさらに案内部材に左右二つ設け，左側の孔に南京錠が装着されたときは左側のカバーのブロック手段と係合して右方向への移動を阻止し，右側の孔に南京錠が装着されたときは右側のカバーのブロック手段と係合して左方向への移動を阻止することとしている。
【００１２】
このような構成により，ブロック手段と係合して左側のカバーの右方向への移動を阻止するように左側の孔に南京錠が装着されたときは左側のボタンの操作は確実に防止される。さらに，移動自在の右側のカバーを右側のボタンの前に移動させておくことができるため，右側のボタンを押すという操作は右側のカバーを左側に移動させるという意識と操作を必要とし，誤操作を少なくすることができる。左側のボタンの誤操作も同様に少なくできる。
【００１３】
【発明の実施の形態】
本発明の実施の形態を，図１ないし図８に示される実施例において説明する。
なお，以下の説明において従来の技術の部材と実質的に同じ部材については同一の符号を付すとともにその説明を省略する。図１，図２及び図３を参照して，この実施例の表面パネル１０には，ＯＮボタン３とＯＦＦボタン４の前に位置するそれぞれ孔１１と孔１２，共に孔１１と孔１２とを含んで位置する大きな矩形の凹部１３と矩形の凹部１３より表面パネル１０の表面からの深さが深い小さい矩形の凹部１４が形成されている。カバー保持片１５は内側に矩形の凹部１３と対向する矩形の凹部１６を有し，左右二つの案内板１７及び１８を挟み込んで矩形の凹部１３に嵌め込まれ，図示されていないねじで表面パネル１０に固定されている。案内板１７及び案内板１８は図１においてそれぞれ逆コ字状及びコ字状であって，それぞれ矩形の凹部１４及び矩形の凹部１６と共同して第１レール１９及び第２レール２０を形成している。この第１レール１９及び第２レール２０には，それぞれＯＮ操作防止カバー２１及びＯＦＦ操作防止カバー２２が引違戸のように左右にスライド可能に装着されている。
【００１４】
表面パネル１０とカバー保持片１５は，ねじによって合体されたとき南京錠８を装着するための上下それぞれに三つの孔が形成されるような形状となっている。左孔２３は，ＯＮ操作防止カバー２１を左端に移動させて南京錠８を装着したときＯＮ操作防止カバー２１の左端に直角に曲げられたブロック縁２４の右側と係合する部分に位置する。同様に，右孔２５は，ＯＦＦ操作防止カバー２２を右端に移動させて南京錠８を装着したときＯＦＦ操作防止カバー２２の右端に直角に曲げられたブロック縁２６の左側と係合する部分に位置する。中央孔２７は，互いに小さい間隔で平行に配置されている第１レール１９と第２レール２０の左右方向の中間部であって第１レール１９と第２レール２０にまたがるように位置している。このような孔を形成するためにカバー保持片１５には上下に左右方向の庇状の突起２８が設けられている。
【００１５】
このように構成されている実施例の動作について説明する。
図１において，ＯＮ操作防止カバー２１を第１レール１９の左端，すなわちＯＮボタン３の前に移動させ，ＯＦＦ操作防止カバー２２を第２レール２０の右端すなわちＯＦＦボタン４の前に移動させると，ＯＮ操作防止カバー２１の右端とＯＦＦ操作防止カバー２２の左端との隙間に中央孔２７が現れる。図４及び図５を参照して，この状態で南京錠８を中央孔２７に装着するとＯＮ操作防止カバー２１及びＯＦＦ操作防止カバー２２が南京錠８に阻止されてその位置から移動できず，南京錠８を取り外さないかぎりＯＮ操作もＯＦＦ操作もできない。
【００１６】
次に，図６を参照して，ＯＮ操作防止カバー２１及びＯＦＦ操作防止カバー２２を左端に移動させると，ＯＮボタン３はカバーされるがＯＦＦボタン４は露出状態となるとともに，ＯＮ操作防止カバー２１及びＯＦＦ操作防止カバー２２の右端の右側に中央孔２７が現れる。この状態で南京錠８を中央孔２７に装着するとＯＮ操作防止カバー２１及びＯＦＦ操作防止カバー２２が共に南京錠８に阻止されてその位置から移動できず，ＯＦＦ操作は可能であるが南京錠８を取り外さないかぎりＯＮ操作をすることができない。なお，両カバーを右端に移動させると，同様に，ＯＮ操作は可能であるが南京錠８を取り外さないかぎりＯＦＦ操作をすることができない。
【００１７】
また，図７を参照して，ＯＮ操作防止カバー２１を左端に移動させると，ＯＮ操作防止カバー２１のブロック縁２４の右側に左孔２３が現れる。この状態で南京錠８を左孔２３に装着すると，ブロック縁２４が南京錠８と係合してＯＮ操作防止カバー２１はその位置から移動できず，南京錠８を取り外さないかぎりＯＮ操作をすることができない。このとき，左右に移動自在であるＯＦＦ操作防止カバー２２をＯＦＦボタン４の前に移動させておくことができる。この状態は，ＯＦＦボタン４がカバーされていない図６の場合と違い，不用意に誤ってＯＦＦボタン４を押して回路遮断器をＯＦＦにしてしまうという操作を少なくできる。しかし，例えば，緊急にＯＦＦ操作を行う場合にはＯＦＦ操作防止カバー２２を左方向に移動させてＯＦＦボタン４を押すことができる。なお，同様に，ＯＦＦ操作防止カバー２２を左端に移動させてれ２５に南京錠８を装着することによって，南京錠８を取り外さないかぎりブロック縁２６が南京錠８と係合してＯＦＦ操作防止カバー２２を移動させることができないためＯＦＦ操作をすることができない。この場合は，ＯＮ操作防止カバー２１が移動自在であり，ＯＮボタン３の前にＯＮ操作防止カバー２１を移動させておくことができる。
【００１８】
さらに，南京錠８をいずれの孔にも装着しない場合は，いずれのカバーも移動自在であって，両カバーを左端又は右端に移動させることによってＯＮ，ＯＦＦいずれの操作も自由である。しかし，図８を参照して，両カバーを中央に移動させた場合は，両方の操作ボタンが露出する部分（Ｗ）は指などで両操作ボタンを容易に同時に押すことができないような寸法構成になっている。
【００１９】
以上のように，種々のロックの方法を１個の南京錠で実現可能である。なお，以上の説明で，左孔２３，右孔２５及び中央孔２７は上下に形成されているため，一つのロック方法を二つの南京錠で実現できるため，より確かなロックを実現できる。
【００２０】
【発明の効果】
本発明は，以上説明した形態で実施され，請求項１の発明は，開閉接触子を接触させるＯＮボタンと該開閉接触子を開離させるＯＦＦボタンとが左右に並んで配置されている回路遮断器において，両ボタンのいずれか一方の前方に選択的に互いに独立して移動可能な二つのカバーと，二つのカバーのそれぞれを案内する互いに平行で近接させて設けられた二つのレールを有する案内部材と，両カバーの移動方向のレールの中間部に設けられた両カバーの移動を阻止する南京錠装着用の孔とを備えたため，両カバーを選択的に移動させてからロックすることによって１個の南京錠でＯＮ操作，ＯＦＦ操作又はその両操作を防止できるとともに，南京錠が装着されない場合であっても，少なくとも一方のボタンの前にカバーが位置することによって両ボタンを同時に操作することを防止でき回路遮断器の寿命を長くできるという効果を奏する。
【００２１】
請求項２の発明は，請求項１の操作ボタンロック装置において，左側のカバーの左縁及び右側のカバーの右縁にそれぞれブロック手段を設けるとともに，南京錠が装着されたときブロック手段と係合してカバーの移動を阻止する南京錠装着用の孔をさらに案内部材に左右二つ設けたため，一方の操作ボタンは南京錠によってロックされるとともに，他方の操作ボタンはカバーを移動させないと操作できないようにすることができるため，不用意な誤操作を少なくすることができるという効果を奏する。
【図面の簡単な説明】
【図１】本発明によるロック装置を装着した回路遮断器の実施例のロック装置部分を示す図であって，カバーを左右に振り分けて移動させた状態を正面から見た図である。
【図２】図１をＸ−Ｘから見た断面図である。
【図３】図１をＹ−Ｙから見た断面図である。
【図４】図３において中央孔に南京錠を装着したときの説明図である。
【図５】図２において中央孔に南京錠を装着したときの図である。
【図６】両カバーを左に寄せて中央孔に南京錠を装着したときの図１のＹ−Ｙから見た説明図である。
【図７】図１の状態で左孔に南京錠を装着したときの図１のＹ−Ｙから見た説明図である。
【図８】両カバーを中央部に移動させても両ボタンを同時に押すことができないことを説明する図１のＹ−Ｙから見た説明図である。
【図９】従来の技術を説明する回路遮断器の正面図である。
【図１０】図９の部分的な側面断面図である。
【符号の説明】
１　回路遮断器本体
３　ＯＮボタン
４　ＯＦＦボタン
８　南京錠
１０　表面パネル
１１，１２　孔
１３，１４，１６　矩形の凹部
１５　カバー保持片
１７，１８　案内板
１９　第１レール
２０　第２レール
２１　ＯＮ操作防止カバー
２２　ＯＦＦ操作防止カバー
２３　左孔
２４，２６　ブロック縁
２５　右孔
２７　中央孔
２８　庇状の突起
【図１】
2004055412.tif 000003
【図２】
2004055412.tif 000004
【図３】
2004055412.tif 000005
【図４】
2004055412.tif 000006
【図５】
2004055412.tif 000007
【図６】
2004055412.tif 000008
【図７】
2004055412.tif 000009
【図８】
2004055412.tif 000010
【図９】
2004055412.tif 000011
【図１０】
2004055412.tif 000012